(57)【要約】      （修正有）【課題】製造に便利で且つ必要に応じて組み合わせて異なる長さとすることができる冷陰極管用コネクタユニットを提供する。【解決手段】本冷陰極管用コネクタユニットは、ブラケット１と複数の端子２を包含し、該ブラケットはベース１１を具え、該ベースに複数の一体成形された端子収容座体１２が設けられ、ベース１１の一端に第１係止部が凸設され、ベース１１の別端に第２係止部が設置されている。複数の端子は端子収容座体１２内に収容される。必要に応じて、前端と後端の第１係止部と第２係止部を組合せることで、二つ以上の冷陰極管用コネクタユニット１００を直列接続でき、並びにブラケット１に複数の端子収容座体１２が一体成形されたことにより、金型開発コストを削減でき、組立工程を簡易化し、作業時間を節約できる。【選択図】図１
0003154673.tif 000002
【実用新案登録請求の範囲】
【請求項１】
ブラケットであって、ベースを具え、該ベースに複数の端子収容座体が一体成形され、該ベースの一端に第１係止部が凸設され、該ベースの別端に第２係止部が設置された、上記ブラケットと、
該端子収容座体にそれぞれ収容された複数の端子と、
を包含したことを特徴とする、冷陰極管用コネクタユニット。
【請求項２】
請求項１記載の冷陰極管用コネクタユニットにおいて、該第１係止部はベースの長さ方向に沿って延伸され略Ｔ字形をなす係合部とされ、該第２係止部は該係合部と形状寸法が相互にマッチし且つＴ字形を呈する係合溝とされたことを特徴とする、冷陰極管用コネクタユニット。
【請求項３】
請求項２記載の冷陰極管用コネクタユニットにおいて、該係合部は該ベースの幅方向において互いに背向するように延伸された第１延伸部及び第２延伸部を具え、該第１延伸部及び第２延伸部は長さ又は厚さの少なくともいずれかが異なることを特徴とする、冷陰極管用コネクタユニット。
【請求項４】
請求項１記載の冷陰極管用コネクタユニットにおいて、該第１係止部は該ベースの一端が長さ方向に沿って延伸されてＬ形を呈する係止部とされ、該第２係止部は該係止部の形状寸法とマッチするＬ形を呈する係止溝とされたことを特徴とする、冷陰極管用コネクタユニット。
【請求項５】
請求項１記載の冷陰極管用コネクタユニットにおいて、該第１係止部は該ベースの一端が長さ方向に延伸されて階段状を呈する挿入部とされ、該第２係止部は該挿入部の形状寸法とマッチする挿入溝とされたことを特徴とする、冷陰極管用コネクタユニット。
【請求項６】
請求項１記載の冷陰極管用コネクタユニットにおいて、該端子収容座体は二つの互いに対向する第１側壁を有し、二つの該第１側壁の内側に、嵌合溝と保持ブロックが設けられ、該端子に互いに対向する係止棒と保持片が設けられ、該係止棒は該嵌合溝内に係止され、該保持片は該保持ブロック上に保持されることを特徴とする、冷陰極管用コネクタユニット。
【請求項７】
請求項６記載の冷陰極管用コネクタユニットにおいて、該第１側壁の内側壁に互いに対向する保持溝が設けられ、該端子は主体部を具え、該主体部両側に折り曲げられて延伸された側アーム部が設けられ、二つの該側アーム部に保持部が設けられ、該保持部が該保持溝中に保持されたことを特徴とする、冷陰極管用コネクタユニット。
【考案の詳細な説明】
【技術分野】
【０００１】
本考案は一種のコネクタユニットに係り、特に一種の冷陰極管用コネクタユニットに関する。
【背景技術】
【０００２】
周知の冷陰極管用コネクタユニットはブラケットと複数の冷陰極管（ＣＣＦＬ）コネクタを包含する。該ブラケットには複数の、離間配列された固定溝が設けられ、冷陰極管コネクタは更に絶縁本体と絶縁本体内に収容された端子を包含する。冷陰極管コネクタはブラケットの固定溝内に固定される。
【考案の概要】
【考案が解決しようとする課題】
【０００３】
上述の冷陰極管用コネクタユニットは、ブラケットとブラケットに取り付けられる絶縁本体が分離した設計であるため、生産時には異なる金型を設計しなければならず、且つ組立工程が煩瑣で時間がかかった。且つ単一のブラケットの設計は、異なる設計要求に対して冷陰極管用コネクタユニットの長さを変更できず、適用性が低い。
【０００４】
本考案の目的は上述の周知の技術に存在する欠点に対して、一種の、製造に便利で且つ必要に応じて組み合わせて異なる長さとすることができる冷陰極管用コネクタユニットを提供することにある。
【課題を解決するための手段】
【０００５】
上述の目的を実現するため、本考案の冷陰極管用コネクタユニットは、ブラケットと複数の端子を包含する。該ブラケットはベースを具え、該ベースに複数の一体成形された端子収容座体が設けられ、該ベースの一端に第１係止部が凸設され、該ベースの別端に第２係止部が設置されている。該複数の端子は該端子収容座体内に収容される。
【考案の効果】
【０００６】
本考案の冷陰極管用コネクタユニットは必要に応じて、前端と後端の第１係止部と第２係止部を組合せることで、二つ以上の冷陰極管用コネクタユニットを直列接続でき、並びにブラケットに複数の端子収容座体が一体成形されたことにより、金型開発コストを削減でき、組立工程を簡易化し、作業時間を節約できる。
【図面の簡単な説明】
【０００７】
【図１】本考案の冷陰極管用コネクタユニットの実施例の立体図である。
【図２】図１の冷陰極管用コネクタユニットの立体分解図である。
【図３】図１の冷陰極管用コネクタユニットのブラケットの立体断面図である。
【図４】図１の冷陰極管用コネクタユニットの端子の立体図である。
【図５】図１の冷陰極管用コネクタユニットの端子の別の立体図である。
【図６】本考案の冷陰極管用コネクタユニットの第１係止部と第２係止部の立体構造表示図である。
【図７】本考案の冷陰極管用コネクタユニットの第１係止部と第２係止部の別の立体構造表示図である。
【図８】本考案の冷陰極管用コネクタユニット組合せ体の立体図である。
【考案を実施するための形態】
【０００８】
図１及び図２に示されるように、本考案の冷陰極管用コネクタユニット１００は、ブラケット１と複数の端子２を包含する。
【０００９】
図２及び図３に示されるように、ブラケット１は絶縁材料を射出成形してなり、ブラケット１は略矩形形状を呈するベース１１を具え、該ベース１１の一端に第１係止部が凸設され、該ベース１１の別端に第２係止部が設置される。本実施例中、第１係止部はベース１１の長さ方向に沿って凸伸して略Ｔ字形をなす係合部１１１とされる。該係合部１１１はベース１１の幅方向において互いに背向するように延伸された第１延伸部１１１１及び第２延伸部１１１２を具え、該第１延伸部１１１１及び第２延伸部１１１２は長さ又は厚さの少なくともいずれかが異なり、本実施例では第１延伸部１１１１及び第２延伸部１１１２は長さのみが異なる。第２係止部は該係合部１１１と形状寸法が相互にマッチし且つＴ字形を呈する係合溝１１２とされる。上述のベース１１に複数の、該ベース１１の長さ方向に沿って配置され且つ一体成形された端子収容座体１２が設置されている。上述の端子収容座体１２は実際の設計要求に応じてベース１１の長さ方向に沿って等間隔に配置され得るほか、ベース１１の長さ方向に沿って不等間隔に配置され得る。本実施例中、端子収容座体１２はベース１１の長さ方向に沿って等間隔に配置されている。
【００１０】
図２、３を続いて参照されたい。上述の端子収容座体１２はベース１１を貫通し、且つ端子収容座体１２は二つの互いに対向する第１側壁１２１、二つの該第１側壁１２１の両端部間に接続された第２側壁１２２及び階段状を挺する第３側壁１２３、第１、第２及び第３側壁１２１、１２２、１２３の一端にある第４側壁１２４を具えている。該第１、第２、第３及び第４側壁１２１、１２２、１２３及び１２４の包囲によりベース１１を貫通する収容空間１３が形成されている。第２側壁１２２には略Ｕ形を呈する凹口１２２１が開設されている。二つの対向する第１側壁１２１の内側壁の、第２側壁１２２に隣接する角部分に、互いに対向する嵌合溝１２１１が凹設されている。二つの対向する第１側壁１２１の内側壁の中部位置に保持ブロック１２１２が凸設されている。第３側壁１２３の内側壁の第１側壁１２１との接続部分には固定溝１２３１が開設されている。第２側壁１２２にベース１１の幅方向に沿って、ベース１１と接続された挿入ブロック１４が凸設され、該挿入ブロック１４に、収容空間１３及び外部と連通する挿入口１４１が設けられている。該第２側壁１２２内側壁には二つの第１側壁１２１間に接続された保持台１２１３が凸設され、且つ該保持台１２１３は挿入口１４１の上方に位置する。第１側壁１２１の内側壁に二つの互いに対向する保持溝１２１４が開設されている。
【００１１】
図２、４、５を参照されたい。端子２は金属板材を一体加圧加工してなり、該端子２は長方形板状の主体部２１を具え、該主体部２１の二つの対向する長さ方向の側端に、相互に平行で且つ主体部２１に垂直である側アーム部２２が形成されている。二つの側アーム部２２の一端に、冷陰極管（図示せず）との接続用の第１接触部２３が設けられ、別端に回路板（図示せず）との接続用の第２接触部２４が設けられている。該主体部２１の幅方向の側端に冷陰極管を支持するホルダ２１１が凸設され、該ホルダ２１１間に、略直角状を呈する支持部２１１１がある。該支持部２１１１の末端より二つの保持片２１１２が凸伸し、この二つの保持片２１１２の間に閉口端が半円弧状を呈する受け溝２１１３が形成されている。該ホルダ２１１の両側より係止棒２１２が延伸され、二つの該係止棒２１２は略羊角状を呈する。該ホルダ２１１と第１接触部２３は端子２の同一端に設置される。第２接触部２４は更に、それぞれ互いに対向する二つの第１挟持部２４１と二つの第２挟持部２４２を包含する。二つの側アーム部２２には互いに対向する保持部２２１が設けられている。
【００１２】
本考案の冷陰極管用コネクタユニット１００中、端子２はベース１１の端子収容座体１２の収容空間１３内に挿入され、端子２の係止棒２１２が端子収容座体１２の嵌合溝１２１１内に嵌合され、端子２の保持片２１１２が第１側壁１２１の保持ブロック１２１２に係止され、端子２の保持部２２１が第１側壁１２１の保持溝１２１４内に保持され、側アーム部２２の側端が第３側壁１２３の固定溝１２３１内に係止され、端子２の主体部２１の一端が端子収容座体１２の保持台１２１３上に保持される。
【００１３】
図６及び図７を参照されたい。本考案の上述の実施例の第１係止部と第２係止部はこれらの図の形式を採用することも可能である。第１種の形式によると、第１係止部はベース１１の一端が長さ方向に沿って延伸されてなりＬ形を呈する係止部１１３とされ、第２係止部は該係止部１１３の形状寸法とマッチするＬ形を呈する係止溝１１４とされる。第２種の形式によると、第１係止部はベース１１の一端が長さ方向に延伸されてなり階段状を呈する挿入部１１５とされ、第２係止部は該挿入部１１５の形状寸法とマッチする挿入溝１１６とされる。
【００１４】
上述の第１係止部と第２係止部に採用された三種類の具体的係止方式は相互に係止される冷陰極管用コネクタユニット１００を強固に接続するのみならず、第１係止部と第２係止部の具体的構造形態により冷陰極管用コネクタユニット１００の相互係止時に出現する組合せエラーを防止できる。
【００１５】
図８に示されるように、必要に応じて、本考案の冷陰極管用コネクタユニット１００は二つ或いはそれ以上が前後に接続されて一つの冷陰極管用コネクタユニット組合せ体３として使用でき、これにより異なる長さの要求を満足することができる。
【００１６】
総合すると、本考案の冷陰極管用コネクタユニット１００は、必要に応じて、ベース１１の前後両端の第１係止部と第２係止部の組合せにより、二つ以上の冷陰極管用コネクタユニット１００を直列に接続することができ、並びにブラケット１に直接複数の端子収容座体１２を一体成形したことにより、金型開発コストを減らせ、組立工程、時間を節約できる。
【符号の説明】
【００１７】
１００  冷陰極管用コネクタユニット
１  ブラケット          １１  ベース
１１１  係合部          １１１１  第１延伸部
１１１２  第２延伸部    １１２  係合溝
１１３  係止部          １１４  係止溝
１１５  挿入部          １１６  挿入溝
１２  端子収容座体      １２１  第１側壁
１２１１  嵌合溝        １２１２  保持ブロック
１２１３  保持台        １２１４  保持溝
１２２  第２側壁        １２２１  凹口
１２３  第３側壁        １２３１  固定溝
１２４  第４側壁        １３  収容空間
１４  挿入ブロック      １４１  挿入口
２  端子                ２１  主体部
２１１  ホルダ          ２１１１  支持部
２１１２  保持片        ２１１３  受け溝
２１２  係止棒          ２２  側アーム部
２２１  保持部          ２３  第１接触部
２４  第２接触部        ２４１  第１挟持部
２４２  第２挟持部
３  冷陰極管用コネクタユニット組合せ体
【図１】
0003154673.tif 000003
【図２】
0003154673.tif 000004
【図３】
0003154673.tif 000005
【図４】
0003154673.tif 000006
【図５】
0003154673.tif 000007
【図６】
0003154673.tif 000008
【図７】
0003154673.tif 000009
【図８】
0003154673.tif 000010